(57)【要約】【課題】比較的簡易で安価な構成を用いて、インクタンク内のインク残量を段階的に検出可能なインク残量検知システムを提供する。【解決手段】インクの液面変位に応じて移動する浮きに伴って回動する遮光版と、遮光板による遮光の有無をフォトセンサで検出することにより、インクタンク内のインク残量を判断する。この際、遮光板上に少なくとも１つの非遮光部分を設けることにより、インクの残量変異を段階的に把握することが可能となる。【選択図】図１
2008000919.tif 000002
【特許請求の範囲】
【請求項１】
液体の液面位置に応じて変位し少なくとも１つの非遮光部分を有する遮光板と、
該遮光板による遮光の有無を検出するフォトセンサと、
該フォトセンサの検出結果に応じて前記液体の残量を判断する手段と
を具備することを特徴とする液体残量検知システム。
【請求項２】
前記非遮光部分は前記遮光板に設けられたスリットであることを特徴とする請求項１に記載の液体残量検知システム。
【請求項３】
前記非遮光部分は前記遮光板に設けられた切り欠きであることを特徴とする請求項１に記載の液体残量検知システム。
【請求項４】
前記変位は、前記液体の液面位置に応じて移動する浮きを一方の端部に備え、該浮きの移動に伴って回動するセンサレバーに前記遮光版が備えられていることによって実現されることを特徴とする請求項１乃至３のいずれかに記載の液体残量検知システム。
【請求項５】
前記遮光板は、前記センサレバーの固定された回動軸を中心に、前記フォトセンサの発光経路を横切るように変位することを特徴とする請求項４に記載の液体残量検知システム。
【請求項６】
前記少なくとも１つの非遮光部分は前記遮光板の前記回動方向の端部に配されていることを特徴とする請求項５に記載の液体残量検知システム。
【請求項７】
複数のノズルからインクを吐出する記録ヘッドと、
該記録ヘッドが吐出するためのインクを収容するインクタンクと、
前記記録ヘッドへ前記インクタンクからインクを供給するチューブと、
前記インクタンク内のインクの液面位置に応じて変位し少なくとも１つの非遮光部分を有する遮光板と、
該遮光板による遮光の有無を検出するフォトセンサと、
該フォトセンサの検出結果に応じて前記インクの残量を判断する手段と
を具備することを特徴とするインクジェット記録装置。
【請求項８】
前記非遮光部分は前記遮光板に設けられたスリットであることを特徴とする請求項７に記載のインクジェット記録装置。
【請求項９】
前記非遮光部分は前記遮光板に設けられた切り欠きであることを特徴とする請求項７に記載のインクジェット記録装置。
【請求項１０】
前記変位は、前記液体の液面位置に応じて移動する浮きを一方の端部に備え、該浮きの移動に伴って回動するセンサレバーに前記遮光版が備えられていることによって実現されることを特徴とする請求項７乃至９のいずれかに記載のインクジェット記録装置。
【請求項１１】
前記判断手段は、前記非遮光部分を通過する光を前記フォトセンサが検出した状態をインク残量のニアエンドと判断し、前記遮光板の全体が前記フォトセンサから外れることによって前記フォトセンサが光を検出した状態をインク残量のエンドと判断し、前記ニアエンドあるいはエンドと判断された情報をユーザに告知する手段を更に具備することを特徴とする請求項７乃至１０のいずれかに記載のインクジェット記録装置。
【請求項１２】
前記ノズルからインクを吸引する記録ヘッド吸引動作と、前記チューブ内の空気を除去する空気抜き動作を実行可能な手段を更に具備し、該手段は前記ニアエンドと判断された場合は、前記インクタンクの交換が確認されるまで、前記吸引動作および空気除去動作のいずれも実行しないことを特徴とする請求項１１に記載のインクジェット記録装置。
【請求項１３】
前記判断手段がニアエンドと判断した場合のインク残量は、１回の前記記録ヘッド吸引動作あるいは１回の前記空気抜き動作で消費されるインク量よりも多いことを特徴とする請求項１２に記載のインクジェット記録装置。
【請求項１４】
インクを収容する外装と、
該インクの液面変位に応じて移動する浮きを一方の端部に備え、該浮きの移動に伴って回動するセンサレバーと、
該センサレバーのもう一方の端部に備えられ少なくとも１つの非遮光部分を有する遮光板と、
該遮光板による遮光の有無を検出するフォトセンサと
を具備することを特徴とするインクタンク。
【発明の詳細な説明】
【技術分野】
【０００１】
本発明は、タンクに収容されている液体の消耗の程度を段階的に検出することが可能な液体残量検知システムに関する。
【背景技術】
【０００２】
業務用のシリアル型インクジェット記録装置は、記録枚数が多い中でランニングコストおよびインクタンクの交換頻度をなるべく抑えるために、大容量のインクタンクを用いることが多い。大容量のインクタンクは、記録ヘッドと共にキャリッジに搭載することは困難であるので、インクタンクから記録ヘッドにインクを供給するための方式は、チューブ供給方式あるいはピットイン方式が一般に採用されている。チューブ供給方式とは、チューブを介してインクタンクから記録ヘッドにインクを供給する方式である。また、ピットイン方式とは、記録ヘッドを搭載したキャリッジが、必要に応じてインクタンクの位置まで移動し、接続し、所定量のインクをインクタンクから記録ヘッドに供給する方式である。
【０００３】
両方式を比較した場合、ピットイン方式ではインクの供給動作のために記録動作が一時的に停止する状況が生じる。よって、多数枚を連続して印刷するような場合には長時間に渡っての連続的にインクの供給が可能なチューブ供給方式がタイムコスト的にも優れていると言える。
【０００４】
インクジェット記録装置においては、記録動作中にインクタンクが空になってしまうような状況は作業効率上、極力回避することが望まれる。そのため、インクタンク内のインク残量が予め検知できるような検知手段あるいはこれを採用するインクジェット記録装置も数多く提案されている（例えば特許文献１参照）。
【０００５】
特許文献１には、大気と連通していない空間に収容されているインクの消耗に応じて、インク収容壁の一部となっている可撓性フィルムが移動することによってインクの消耗程度を検知するシステムが開示されている。以下特許文献１に記載のインク残量検知システムについて説明する。
【０００６】
図８は、特許文献１に記載のインクタンク２００を記録装置本体に装着する様子を示した図である。インクジェット記録装置本体には、インクタンク２００と接続するための中空針８２、中空針８２を覆うカバー１３０、インク残量を検知するためのフォトセンサ部１７０を有している。フォトセンサ部１７０は、赤外線の発光部と受光部とから構成されている。
【０００７】
図９および図１０は、インクタンク２００の本体ケース２３０の内部機構を説明するための図である。本体ケース２３０内では、収納凹部３１０を覆うように可撓性フィルム３０２が貼られているが、図９では可撓性フィルム３０２が配備された本体ケースの片面壁を外した状態を示している。一方、図１０は、本体ケース２３０の断面構造を示す図である。
【０００８】
可撓性フィルム３０２は、収納凹部３１０内にインクがほとんどない状態において、収納凹部３１０内面に略密着する略球面形状にあらかじめ形成されている。可撓性フィルム３０２と収容凹部３１０との間にインクが充填された状態から、収容凹部３１０内にインクがほとんどなくなる状態まで、可撓性フィルム３０２はインクの量に追従して柔軟に変形する。また、インクタンク２００には凹面部３２０があり、凹面部３２０の底面には、凹面部３２０上に残存するインクの残量を検知するためのセンシング機構３４０が設けられている。
【０００９】
図１１は、センシング機構３４０の構造を説明するための拡大図である。センシング機構３４０は、センサレバー収容溝３５０と、センサレバー収容溝３５０内に配置されたセンサレバー３６０と、Ｔ字形抑えフィルム３４２とから構成されている。センサレバー収容溝３５０は、凹面部３２０の底面に開口し、ケース本体２３０の下面に沿った底面３５２を有している。センサレバー収容溝３５０は、凹面部３２０の球面状部３２４の中心位置からケース本体の長さ方向に対して４５度ずれた方向に延び、凹面部３２０の円形（もしくは楕円形）状周囲縁３２２に達した位置で４５度曲がっている。センサレバー収容溝３５０のケース本体の長さ方向に平行に伸びる部分は溝端部３５４と呼んでいる。溝端部３５４は、平坦肩部３２８上に開口している。
【００１０】
このように、センサレバー収容溝３５０は凹面部３２０の球面状部３２４の中心部から斜面部３２６に渡る位置においてはケース本体の長さ方向に対して４５度ずれた方向に延びるように開口している。一方で、平坦肩部３２８上ではケース本体の長さ方向に平行に延びるように開口している。センサレバー収容溝３５０の深さは球面状部３２４では略一定であり、斜面部３２６で急激に増加して平坦肩部３２８で再び略一定となっている。センサレバー収容溝３５０の溝端部３５４は、凹面部３２０の外へ延びて、センサ収容溝内に達している。また、センサレバー収容溝３５０は、その長手方向と直交する溝３５１を有する。
【００１１】
センサレバー３６０は、インクの比重より高い比重を有し、フォトセンサ１７０の赤外線を遮断できるよう黒色の樹脂で形成されている。センサレバー３６０は、センサレバー収容溝３５０内に配置されている。センサレバー３６０は、三角柱形状の回動支点部３６２を有し、その両側に動作アーム部３６４とセンシングアーム部３６６とを備える板状ビーム部材である。また、半球面状ピボット３６５（インク残量検知点）が動作アーム部３６４の端部に設けられている。センサレバー３６０は、半球面状ピボット３６５（インク残量検知点）が凹面部３２０の球面状部３２４の中心位置に位置するように、センサレバー収容溝３５０内に配置される。
【００１２】
センシングアーム部３６６はその端部にて４５度曲がっており、この曲がった端部３６７がセンサレバー収容溝３５０の溝端部３５４に配置され、センシング点として機能する。回動支点部３６２は、センサレバー収容溝３５０の直行溝３５１内に配置され、回動支点部３６２の断面三角柱の頂点が該溝３５１の底面に接触するようにインク内で沈む。この結果、センサレバー３６０は回動支点部３６２を支点として回動することができる。
【００１３】
センシングアーム部３６６の重量は、動作アーム部３６４の重量より大きい。このため、インクが十分に残っている場合には、図１０に実線で示すように、センシングアーム端部３６７側がセンサレバー収容溝３５０の底面３５２上に位置し、半球面状ピボット３６５が底面３５２から浮いて凹面部３２０の底面上に突出した状態となる。一方、インクが消費され可撓性フィルム３０２が凹面部３２０へ向かって降りてくると、図１０に二点鎖線で示すように、可撓性フィルム３０２が半球面状ピボット３６５（インク残量検知点）を下側に押す。これにより、センシングアーム端部３６７（センシング点）が上昇する。上昇したセンシングアーム端部３６７がフォトセンサ１７０の発光素子と受光素子の間を遮ることにより、フォトセンサ１７０は光を検出できなくなる。この状態を記録装置本体が検知し、インク残量が僅かになったことを認識する。
【００１４】
本構成では、センサレバー３６０を凹面部３２０の下から凹面部３２０の外に延びるセンサレバー収容部３５０に収容しているため、センサレバー３６０が凹面部３２０に向かって変形してくる可撓性フィルム３０２を阻害することがない。よって、インク残量検知を確実に行うことができる。
【００１５】
しかしながら、特許文献１に開示されているこのような残量検知システムでは、インクタンク内を密閉状態にしつつ、その収納壁の一部を可撓性フィルムで形成するなど、複雑な構成が要される。よって、業務用の大容量のインクタンクにおいては、その材料および製造コストが高くなりやすい。業務用のインクジェット記録システムにおいては、より安価な構成でインクタンク内のインク残量を検出する機構が求められる。
【００１６】
大気に連通したインクタンク内での浮きの移動によってインクの残量を検知する比較的に安価な残量検知システムもいくつか提案されている。
【００１７】
図７（ａ）および（ｂ）は、このようなインク供給システムの一例を概略的に説明するための図である。図７（ａ）はインクタンク６内にインクが充分残っている状態を示し、同図（ｂ）は、インクが殆ど消耗されてインクタンク６の交換が必要とされる状態を示している。インクタンク６の内部は大気連通口７を介して大気圧を維持しており、温度変化や大気圧変化による空気の膨張や圧縮にも対応している。よって、内部に収容されているインクの液面はインクの消費と共に下方向へ移動して行く。
【００１８】
インクタンク６の外壁部に設けられたタンク透明部１２には、回転軸１０を中心に回動するセンサレバー８が配備されている。センサレバー８の一方の端部はインクタンク内部に延び、その先端に浮き１３が取り付けられている。浮き１３はインクタンク６内のインクよりも軽いので常にインクの水面に浮いた状態を保っている。
【００１９】
センサレバー８のもう一方の端部は、タンク透明部１２内において遮光板１１が備えられている。回転軸１０を中心にセンサレバー８が回動する際、遮光板１１の回動経路には、タンク透明部１２に固定されているフォトセンサ９からの光を遮断する領域が含まれている。フォトセンサ９は発光部および受光部を備えており、受光部の検出結果によって、光が遮断されているか否かを判断することが出来る。
【００２０】
なお、インクタンク透明部１２は、インクタンク６の側面に対し、センサレバー８および遮光板１１を覆うように固定されているので、インクが外部へ漏洩することはない。
【００２１】
インクがインクタンク６内に充分に満たされているとき（図７（ａ））、インクの液面および浮き１３は高い位置にあり、この状態で遮光板１１はフォトセンサ９が発光する光を遮断している。インクが消耗されるに従って、インク液面および浮き１３は徐々に下方に移動し、殆どインクが空になった状態において（図７（ｂ））、浮き１３はインクタンク６の内壁底部に接触する。この状態で、フォトセンサ９は遮光板１１によって光が遮断されていないことを検出する。すなわち、本構成によれば、フォトセンサ９からの検出値を制御装置が適宜モニタすることによって、インクタンクの交換時期をユーザに通知することが出来る。結果、インクタンク内部を大気に連通させた比較的簡易な構成によってインク残量検知システムを実現することが可能となる。
【００２２】
【特許文献１】特開２００４−６６４９０号公報
【発明の開示】
【発明が解決しようとする課題】
【００２３】
しかしながら、上記システムにおいては、インクタンク６内のインクが図７（ｂ）のように殆ど空になった段階で、初めてフォトセンサ９の検出および交換時期の提示が行われる。この場合、例えば多数枚記録中に、あるいは記録ヘッドの吸引回復中などにインク残量が０になったことが検出されても、その動作は進行中であるので、インクタンクから記録ヘッドまでの一連の供給路内に空気が混入する恐れが生じる。
【００２４】
この事態を回避するためには、ある程度のインクが残っている状態でフォトセンサが光を検出するような遮光板形状にしておけば良いことになる。しかしながら、多量の連続印刷や大容量の吸引動作を特に行なっていない状況においてインクタンクの交換を促すことは、その時点で残っているインクを無駄に廃棄することになり、ランニングコストの低下を招致する。
【００２５】
ユーザにとって好ましいのは、インクタンク内のインク残量を段階的に知り、記録装置に対するジョブ操作をインク残量に合わせて調整できることである。しかし、上述したような構成では遮光板がフォトセンサの光を遮るか否かによってインクタンク交換の是非を定めてしまうので、インクタンク内の残量を段階的に知ることは出来なかった。
【００２６】
本発明は上記問題点を解決するために成されたものであり、その目的とするところは、比較的簡易で安価な構成を用いて、インクタンク内のインク残量を段階的に検出可能なインク残量検知システムを提供することである。
【課題を解決するための手段】
【００２７】
そのために本発明は、液体の液面位置に応じて変位し少なくとも１つの非遮光部分を有する遮光板と、該遮光板による遮光の有無を検出するフォトセンサと、該フォトセンサの検出結果に応じて前記液体の残量を判断する手段とを具備することを特徴とする。
【００２８】
また、複数のノズルからインクを吐出する記録ヘッドと、該記録ヘッドが吐出するためのインクを収容するインクタンクと、前記記録ヘッドへ前記インクタンクからインクを供給するチューブと、前記インクタンク内のインクの液面位置に応じて変位し少なくとも１つの非遮光部分を有する遮光板と、該遮光板による遮光の有無を検出するフォトセンサと、該フォトセンサの検出結果に応じて前記インクの残量を判断する手段とを具備することを特徴とする。
【００２９】
更に、インクを収容する外装と、該インクの液面変位に応じて移動する浮きを一方の端部に備え、該浮きの移動に伴って回動するセンサレバーと、該センサレバーのもう一方の端部に備えられ少なくとも１つの非遮光部分を有する遮光板と、該遮光板による遮光の有無を検出するフォトセンサとを具備することを特徴とする。
【発明の効果】
【００３０】
本発明によれば、インクの消耗状態を段階的にユーザに通知することが可能となる。また、空気抜き動作中や記録ヘッド吸引動作中での突然のインク切れを防止することができ、従来の様にインク供給経路内に空気を混入させることがない。更に、空気抜き動作や記録ヘッド吸引動作で消費されるインク量だけ残すようにスリットを配置することにより、インクタンク交換時に廃棄されるインク量を極力低減し、ランニングコストを向上させることが出来る。
【発明を実施するための最良の形態】
【００３１】
以下、本発明の実施形態を、図を参照して詳細に説明する。
【００３２】
図１は、本実施形態におけるチューブ供給方式のインク供給システムを示した概略図である。一般に、インクジェット記録装置は、複数のインク色に対応する複数の記録ヘッドを用いてカラー画像を形成するため、ここに示したようなインク供給システムをインク色分だけ備えている。なお、本実施形態は既に図７で説明した従来法と比較しながら説明するため、同部材は同じ符号で示している。
【００３３】
記録ヘッド５は、インクを吐出するための複数のノズル１６を備えており、インクタンク６から供給チューブ４を介して供給されたインクを用いて記録を行う。記録ヘッド５および供給チューブ４は記録装置本体に設置されているが、インクタンク６は当該記録装置に対し着脱可能になっている。インクタンク６を装置の所定位置に装着することにより、供給チューブ４とインクタンク６のインク供給口１５とが接続し、図に示すようなインク供給システムが完成する。
【００３４】
図において、インクタンク６から記録ヘッド５の各ノズル１６までの流路はインクで満たされており、記録ヘッド５内には一定量のインクが蓄えられている。記録ヘッド５のノズル１６の位置はインクタンク６内に収容されたインクの液面よりもＨだけ高い位置に配置され、記録ヘッド５内の圧力が高さＨの水頭差分の負圧に保たれた状態となっている。
【００３５】
インクジェット記録方式において、ノズル１６は微細な穴であり、特に弁機構は有さない。図のように高さＨ分の水頭差を持たせることによって、個々のノズル内部に負圧を与え、毛細管力で進行しようとするインクを引き戻す力を生成することが出来る。ノズルの吐出口近傍においては、両者の釣り合いが取れた位置で、インクのメニスカスが形成される。これにより、下方に開口したノズルからのインク漏れや大気からノズル内への空気の進入が防止される。
【００３６】
個々のノズル内において、上記メニスカスより後退した位置の吐出口近傍にはヒータが配備されている。このヒータに所定の電圧パルスを印加することにより、インク内に膜沸騰が起こり、発生する泡の成長エネルギによってノズル内のインクが滴として押し出される。インクの吐出後、ノズル内部には毛細管力によって再びインクが導かれる。このような吐出動作とインクの供給を繰り返すことにより、記録ヘッド５内に蓄えられているインクは徐々に消費されるが、当該消費に対応した分だけインクタンク６から供給チューブ４を介してインクが連続的に供給される。
【００３７】
記録装置には、記録ヘッド５のメンテナンス処理を行うための回復機構が設けられている。キャップ３は、非プリント時の記録ヘッド５の吐出口を下方から覆うことで吐出口からインクが蒸発するのを抑制し、吐出口近傍でインクが乾燥、像粘さらには固着するのを防いでいる。吸引ポンプ１は、増粘してしまったインクや吐出口から侵入した不純物を除去するために、キャップ３で覆われた状態の吐出口から強制的にインクを吸引する。
【００３８】
供給チューブ４等のインク供給流路に使用している部材は、一般にガス透過性が良いものを使用しているが、完全にインク供給流路内への空気の混入を遮断することが出来るわけではなく、時間と供にどうしても流路内には空気が蓄積される。このような場合であっても、キャップ３を押し当てた状態で吸引ポンプ１を作動させることにより、流路内の空気を抜くことが出来る。
【００３９】
以下に、流路内の空気抜きを行う方法について具体的に説明する。吸引ポンプ１と記録ヘッド５の間の流路は、切替弁２によってノズル方向とエア弁６方向とに分けられている。通常、エア弁６はシールされており、大気と記録ヘッド５との連通箇所はノズルのみになっている。記録ヘッド５内に侵入した空気泡は上方に向かって行くので、ノズル側の流路からインクと共に強制的に泡を吸引しても効果はない。よって、空気抜きを行うモードにおいては、切替弁２にて吸引ポンプ１をエア弁６側に連通させ、キャップ部材１７によってエア弁６のシールを解除する。これにより記録ヘッド５と吸引ポンプ１が連通するので、この状態で吸引ポンプ１を作動させ、記録ヘッド５内に蓄積された空気を除去することが出来る。
【００４０】
図２（ａ）〜（ｃ）は、本実施形態のインク残量検知機構を説明するための図である。本実施形態のインク残量検知機構は、殆どの構成が図７で説明したものと同様であるので、以下は相違点についてのみ説明する。
【００４１】
本実施形態の遮光板１１にはスリット１４が設けられており、スリット１４の部分がフォトセンサ９の検出経路を通過する際には、発光された光は遮断されることなく受光部で検出される。以下、インクの消耗状態に伴って変位するセンサレバー８の状態と、フォトセンサ９の検出状態を説明する。
【００４２】
図２（ａ）は、インクタンク６内に略インクが満たされている状態を示している。この状態において、インクの液面とともに変位する浮き１３は比較的高位置に配置され、これに連動するセンサレバー８のもう片方の端部に備えられた遮光板１１は、図のように低い位置に位置している。タンク透明部１２に固定的に設けられているフォトセンサ９の光は遮光板１１に遮られ、フォトセンサ９は光を検出出来ない状態になっている。
【００４３】
図２（ｂ）は、インクの消費が進み、インク液面と共に浮き１３が下降し、スリット１４がフォトセンサ９の位置にある状態を示している。この状態において、フォトセンサ９の光は一時的に遮光板１１を通過し、光を検出可能な状態になっている。
【００４４】
図２（ｃ）は、更にインクの消費が進み、浮き１３がインクタンク６の底部まで到達し、遮光板１１の全体がフォトセンサ９から外れた状態を示している。この状態において、フォトセンサ９は光を検出可能な状態になっている。
【００４５】
以上より、本実施形態でフォトセンサ９が光を検出するのは、遮光板１１のスリット１４がフォトセンサ９の検出経路を通過する時と、遮光板１１の全体がフォトセンサ９の検出経路から外れた時の２回となる。すなわち、本実施形態のインクジェット記録装置は、完全なインクエンドを検知する前に、幾分残量に余裕があることを示すニアエンドを検知することが出来る。
【００４６】
本実施形態では、図２（ｂ）に示す状態での残量インクが、１回分の空気抜きシーケンスや記録ヘッド回復シーケンスで消費される量よりも多くなるように、スリット１４の位置が定められている。よって、比較的多量のインクを消費する空気抜きシーケンスや記録ヘッド回復シーケンスの最中にニアエンドが確認されても、動作中にインクが完全に無くなることはないので、本発明の課題の一つとしたインク供給流路中への空気の混入が回避できる。また、最低限のインクを残した状態でユーザはインクタンクの交換を行うことが出来るので、ランニングコストも改善することが出来る。
【００４７】
なお、ニアエンドを告知するためのスリット１４の幅は、誤検知を防げることが可能な範囲でなるべく狭くすることが有効である。狭くすることにより、フォトセンサ９の光の検出／非検出が、短いタイミングすなわち少量のインク消費で切り替わるので、ニアエンドであることが比較的早期に確認できる。
【００４８】
図６は、本実施形態で適用可能なインクジェット記録装置の制御の構成を説明するためのブロック図である。図において、コントローラ７００は主制御部であり、例えばマイクロコンピュータ形態のＣＰＵ７０１、プログラムや所要のテーブルその他の固定データを格納したＲＯＭ７０２、画像データを展開する領域や作業用の領域等を設けたＲＡＭ７０３を有する。
【００４９】
記録装置の外部に接続されたホスト装置７０４は、画像データの供給源であるが、記録に係る画像等のデータの作成および処理のほか、ユーザインタフェイスの役割等を果たすコンピュータとする。画像データ、その他のコマンド、ステータス信号等は、インターフェース（Ｉ／Ｆ）７１２を介してコントローラ７００との間で送受信される。
【００５０】
操作部７０５はユーザによる指示入力を受容するスイッチ群であり、電源スイッチ７０６、記録動作開始を指示するためのプリントスイッチ７０７、記録ヘッドに対するメンテナンス処理の起動を指示するための回復スイッチ７０８等を有する。
【００５１】
ヘッドドライバ７０９は、記録データ等に応じて記録ヘッド５の個々のヒータを駆動するドライバである。モータドライバ７１１は記録ヘッド５を搭載したキャリッジを主走査方向に移動する主走査モータ５０４を駆動するドライバであり、モータドライバ７１３は記録媒体を搬送する搬送ローラの回転動力となる副走査モータ７１４を駆動するドライバである。  
メンテナンス機構駆動ドライバ７１０は、図１で説明した、切替弁２、キャップ３および吸引ポンプ１の各メンテナンス機構を動作させるためのドライバである。
【００５２】
インクタンク６のタンク透明部１２に備えられたフォトセンサ９は検出した信号値をコントローラ７００に発信し、これを受信したＣＰＵ７０１はインクタンク６内のインク残量を把握することが出来る。
【００５３】
以下に、本実施形態のインクジェット記録装置の制御装置が行うインク残量シーケンスを説明する。通常インク残量検知シーケンスを行うのは、記録動作中もしくは記録開始前、記録ヘッド吸引動作中もしくはその開始前、空気抜き動作中もしくはその開始前である。どの場合においても、開始前と動作中に行うインク残量検知シーケンスは同じ工程である。
【００５４】
図３は、記録動作中インク残量検知シーケンスを説明するためのフローチャートである。当該シーケンスが開始されると、まずＳ３０１においてフォトセンサ９による光の検出動作が開始される。Ｓ３０２で光が検知されるとＳ３０３に進み、今回の検出が１回目であるか否かを判断する。１回目の検出でない場合、Ｓ３０８へ進み、ユーザに対してインクエンドであることを告知し、インクタンクが交換されるまで待機し、本シーケンスを終了する。
【００５５】
一方、１回目の検出であると判断された場合にはＳ３０４へ進み、記録動作中のインクの吐出回数や記録データなどを基に、光の検出が確認されてからのインクの消費量Ｓのカウントを開始する。そして、消費量Ｓがスリット１４の幅に対応するインク量Ｄに略達した時点で、再びフォトセンサ９が遮蔽されるか否かを確認する。フォトセンサ９の再度の遮蔽が確認された場合、Ｓ３０５へ進み、今回の検出がニアエンド検出であったと判断する。そして、インクタンクの交換が確認されるまで、空気抜き動作や記録ヘッド回復動作を禁止する。但し、ニアエンドを確認しても記録動作は継続し、その状態のままＳ３０２に戻る。
【００５６】
Ｓ３０４においてフォトセンサ９の遮蔽が確認されなかった場合、すなわちカウントしている消費量Ｓが消費量Ｄの値を越えてもフォトセンサ９が光を検出し続ける場合、今回の検出は、イレギュラーな状態であったと判断し記録動作を停止する（Ｓ３０６）。ここで、イレギュラーな状態とは、記録動作中にもかかわらずユーザがインクタンク６を記録装置から外してしまった場合のようなことを言う。よってＳ３０６では、更にユーザに対して、インクタンク６が記録装置本体から外れていないかを、ＵＩなどを利用して確認する。
【００５７】
インクタンクが外れている旨の報告をユーザから受けた場合、Ｓ３０７へ進みインクタンクの装着が確認されるまで待機する。そして、装着が確認された時点で記録動作を再開し、Ｓ３０２に戻る。
【００５８】
Ｓ３０６において、インクタンクは外れていない旨の報告をユーザから受けた場合、インクエンドであるとみなしＳ３０８へ進む。以上で本処理を終了する。
【００５９】
図４は、空気抜き動作中あるいは記録ヘッド回復動作中のインク残量検知シーケンスを説明するためのフローチャートである。当該シーケンスが開始されると、まずＳ４０１においてフォトセンサ９による光の検出動作が開始される。Ｓ４０２で光が検知されるとＳ４０３に進む。
【００６０】
本実施形態において、空気抜き動作あるいは記録ヘッド回復動作は、既に図３で説明したように、ニアエンドが確認された以降はインクタンクの交換が確認されない限り禁止されている。よって、Ｓ４０２で確認された検出は初めての検出であるとみなすことが出来る。
【００６１】
Ｓ４０３では、光の検出が確認されてからのインクの消費量Ｓのカウントを開始する。そして、消費量Ｓがスリット１４の幅に対応するインク量Ｄに略達した時点で、再びフォトセンサ９が遮蔽されるか否かを確認する。フォトセンサ９の再度の遮蔽が確認された場合、Ｓ４０４へ進み、今回の検出がニアエンド検出であったと判断する。そして、インクタンクの交換が確認されるまで、次回からの空気抜き動作や記録ヘッド回復動作を禁止する。
【００６２】
Ｓ４０３においてフォトセンサ９の遮蔽が確認されなかった場合、すなわちカウントしている消費量Ｓが消費量Ｄの値を越えてもフォトセンサ９が光を検出し続ける場合、今回の検出は、イレギュラーな状態であったと判断し現行の動作を停止する（Ｓ４０５）。ここで、イレギュラーな状態とは、記録装置が動作中にもかかわらずユーザがインクタンク６を記録装置から外してしまった場合のようなことを言う。よってＳ４０５では、更にユーザに対して、インクタンク６が記録装置本体から外れていないかを、ＵＩなどを利用して確認する。
【００６３】
インクタンクが外れている旨の報告をユーザから受けた場合、Ｓ４０６へ進みインクタンクの装着が確認されるまで待機する。そして、装着が確認された時点で中断した動作を再開し、Ｓ４０２に戻る。
【００６４】
Ｓ４０５において、インクタンクは外れていない旨の報告をユーザから受けた場合、インクエンドであるとみなしＳ４０７へ進む。以上で本処理を終了する。
【００６５】
以上説明したように本実施形態によれば、センサレバーの先端に備えられた遮光板の適当な位置にスリットを設けることにより、インクの消耗状態を段階的にユーザに通知することが可能となる。このような構成を採用することにより、空気抜き動作中や記録ヘッド吸引動作中での突然のインク切れを防止することができ、従来の様にインク供給経路内に空気を混入させることがない。更に、空気抜き動作や記録ヘッド吸引動作で消費されるインク量だけ残すようにスリットを配置することにより、インクタンク交換時に廃棄されるインク量を極力低減し、ランニングコストを向上させることが出来る。
【００６６】
次に、本発明の第２の実施形態を説明する。
【００６７】
図５は、本実施形態におけるチューブ供給方式のインク供給システムを示した概略図である。既に図１で説明した第１の実施形態と同じ部材については、同じ符号で示している。
【００６８】
本実施形態では、インクタンク６と記録ヘッド５をつなぐ流路の間に吸引ポンプ１を設けた構成となっている。このようにすることにより、流路中のインクをインクタンク６から記録ヘッド５へ供給するだけでなく、記録ヘッド５からインクタンク６へとインクを流動させることも出来る。ユーザがインクタンク６を取り外す場合、どうしてもある程度の空気が供給口１５からイ供給チューブ４内に混入する。この場合であっても、新たなインクタンク６が装着された後に、供給チューブ４内のインクおよび空気をインクタンク６側に戻すことにより、供給チューブ４内の空気を除去することが出来る。
【００６９】
更に、電源ＯＮと同時にフォトセンサ９が光を検知した場合など、確認された光検出がインクエンドを示すのかニアエンドを示すのか明確にならない場合も想定される。このような場合であっても本実施形態であれば、スリット１４がフォトセンサ９を通過してから遮光板１１がフォトセンサ９を外れるまでに消耗させるべきインク量を、インクタンク６内に戻すことにより、インクエンドかニアエンドかを判断することが出来る。
【００７０】
なお、以上２つの実施形態では、遮光板１１に１つのスリットを設ける構成としたが本発明はこれに限定されるものではない。スリットの数を更に多く設け、より他段階にインク残量の情報をユーザに告知するようにすれば、ユーザはインクの残量を更に詳しく把握することが出来、得られた情報に応じて記録動作ジョブの調整を行うことが出来る。また、遮光と非遮光を切り替えるための構成はスリットに限られるものではなく、例えば遮光板に切り欠きが配備されている個性であっても本発明の効果を得ることは出来る。
【００７１】
更に、上記２つの実施形態では、いずれもインクジェット記録装置に備えられたインクタンク内のインクの残量を検知するシステムで説明した。しかし、本発明の残量検知システムは、インク以外の様々な液体の消耗状態を確認する場合にも適用することも出来、このような場合も本発明の範疇に含まれる。
【図面の簡単な説明】
【００７２】
【図１】本発明の第１の実施形態におけるチューブ供給方式のインク供給システムを示した概略図である。
【図２】（ａ）〜（ｃ）は、本発明の実施形態におけるインク残量検知機構を説明するための図である。
【図３】記録動作中のインク残量検知シーケンスを説明するためのフローチャートである。
【図４】空気抜き動作中あるいは記録ヘッド回復動作中のインク残量検知シーケンスを説明するためのフローチャートである。
【図５】本発明の第２の実施形態におけるチューブ供給方式のインク供給システムを示した概略図である。
【図６】本発明の実施形態で適用可能なインクジェット記録装置の制御の構成を説明するためのブロック図である。
【図７】（ａ）および（ｂ）は、従来法のインク供給システムを概略的に説明するための図である。
【図８】特許文献１に記載のインクタンクを記録装置本体に装着する様子を示した図である。
【図９】特許文献１における本体ケースの内部機構を説明するための図である。
【図１０】特許文献１における本体ケースの内部機構を説明するための図である。
【図１１】センシング機構の構造を説明するための拡大図である。
【符号の説明】
【００７３】
１        吸引ポンプ
２        切替弁
３        キャップ
４        供給チューブ
５        記録ヘッド
６        インクタンク
７        大気連通口
８        センサレバー
９        フォトセンサ
１０      回転軸
１１      遮光板
１２      タンク透明部
１３      浮き
１４      スリット
１５      供給口
１６      ノズル
１７      キャップ部
【図１】
2008000919.tif 000003
【図２】
2008000919.tif 000004
【図３】
2008000919.tif 000005
【図４】
2008000919.tif 000006
【図５】
2008000919.tif 000007
【図６】
2008000919.tif 000008
【図７】
2008000919.tif 000009
【図８】
2008000919.tif 000010
【図９】
2008000919.tif 000011
【図１０】
2008000919.tif 000012
【図１１】
2008000919.tif 000013